(57)【要約】      （修正有）【課題】構成部品の組立を容易にするパーツ供給品とそれを用いる人形体を提供する。【解決手段】  構成部品（手）を組立てる場合、まず、親指のパーツ１１０、人差し指のパーツ１２０、三指のパーツ１３０（中指のパーツと薬指のパーツと小指のパーツが接続したもの）をランナー１０に支持したままでそれらの接続部を手の平のパーツ２７０の接続部と接続する。次に、手の平のパーツ２７０を手の甲のパーツ２８０で挟持して指を固定する。次に、人差し指のパーツ１２０と三指のパーツ１３０をランナー１０から取り外す。この結果、組立が容易となり組立て時の間違いやパーツの紛失のミスを避けることができる。【選択図】図６
2009107275.tif 000002
【特許請求の範囲】
【請求項１】
１つのパーツの複数の接続部にそれぞれ接続して模型の構成部品を組み立てるための複数のパーツが、ランナーに取り付けられたパーツ供給品であって、
前記複数のパーツが前記１つのパーツの前記複数の接続部の間隔と略同じ間隔で前記ランナーに取り付けられていることを特徴とするパーツ供給品。
【請求項２】
前記ランナーに前記複数のパーツが取り付けられたままの状態で前記１つのパーツの前記複数の接続部に前記複数のパーツを接続させた場合に、前記ランナーと前記１つのパーツとが接触しないように空間が設けられていることを特徴とする請求項１に記載のパーツ供給品。
【請求項３】
前記複数のパーツが更に、前記１つのパーツの前記複数の接続部の取り付け角度と略同じ取り付け角度で前記ランナーに取り付けられていることを特徴とする請求項１又は２に記載のパーツ供給品。
【請求項４】
前記複数のパーツの少なくとも２つが切り離し可能に接続されて成形されていることを特徴とする請求項１乃至３のいずれか１項に記載のパーツ供給品。
【請求項５】
前記１つのパーツは挟持可能な一対のサブパーツから構成されていることを特徴とする請求項１乃至４のいずれか１項に記載のパーツ供給品。
【請求項６】
前記一対のサブパーツが手の平のパーツと手の甲のパーツであり、
前記複数のパーツが手の指のパーツであり、
前記手の指のパーツの各指の並び順と位置と取り付け角度とが、
前記手の平のパーツの接続部の各指の並び順と位置と取り付け角度に対応して前記ランナーに取り付けられていることを特徴とする請求項５に記載のパーツ供給品。
【請求項７】
請求項１乃至請求項６のいずれか１項に記載のパーツ供給品を用いて組み立てられた構成部品を備える模型。
【発明の詳細な説明】
【技術分野】
【０００１】
本発明は、パーツ供給品及び模型に関する。
【背景技術】
【０００２】
従来より回転金型を用いたインサート成形を用いて、ランナーの接続部に接続された状態で既に関節部が組み上がっている模型の構成部品を成形する技術が知られている（例えば、特許文献１参照）。
【０００３】
また、腕、脚のパーツが可動可能に組み合わされた状態で一体成形された胴体前面パーツに対して、この胴体前面パーツがランナーに支持されている状態で胴体後面パーツを取り付け可能となっていることで、胴体前面パーツに胴体後面パーツを取り付けた後で、ランナーとの接続部を切り離すだけで組み立てられる模型の構成部品も知られている。
【特許文献１】特開平５−２０８０７７号公報
【発明の開示】
【発明が解決しようとする課題】
【０００４】
しかしながら、上記説明した模型の構成部品は一体成形するため、一体成形専用の成形機や金型加工が必要であり、そのため製造コストが高くなったり、専用の金型を製造する金型製作期間が必要となって模型の構成部品の製造期間が長くなったりする。また、回転金型を用いた場合には、成形できる模型の構成部品成形品の大きさが制限される場合もあった。このように、模型の構成部品の一体成形は、成形品自体の単価が高くなるため高額商品にしか使えないという制約や製造上の問題が発生する。
【０００５】
さらに、一体成形で作製した、ランナー状態で既に組みあがっている半完成品（例えば、人形の関節部分を含む手や足など）の模型の構成部品を使用すると、模型自体の組立は容易になるものの、模型を組み立てる楽しみが半減してしまうという別の問題が発生する。
【０００６】
そこで、上記説明した種々の問題を解決するために、一体成形を用いずに、例えば、手（模型の構成部品）を指のパーツ、手の平のパーツ、手首のパーツなどに分けて成形し、各パーツを使用者が組み立てて手を形成するようにすると、製造上の問題が解決され、模型を組み立てる楽しみも得られる。
【０００７】
しかしながら、一体成形を用いずに作製された指の各パーツはそれぞれが小さくかつ類似していることから、手を組み立てる作業が複雑となったり、指の組み立てを間違えたり、時にはパーツを紛失してしまうという問題が発生する。
【０００８】
本発明は、上記説明した従来技術の問題点を解決することを出発点としてなされたものである。その目的は、模型や模型の構成部品を組み立てる楽しみを維持しながら、また一体成形を用いることになく、模型の構成部品の組立を容易にするパーツ供給品及び模型を提供することである。
【課題を解決するための手段】
【０００９】
上記目的を達成するための本発明は、以下の構成を有する。即ち、１つのパーツの複数の接続部にそれぞれ接続して模型の構成部品を組み立てるための複数のパーツが、ランナーに取り付けられたパーツ供給品であって、前記複数のパーツが前記１つのパーツの前記複数の接続部の間隔と略同じ間隔で前記ランナーに取り付けられていることを特徴とする。
【００１０】
また本発明の模型は、上記に記載のパーツ供給品を用いて組み立てられた構成部品を備えることを特徴とする。
【発明の効果】
【００１１】
本発明によれば、模型や模型の構成部品を組み立てる楽しみを維持しながら、また一体成形を用いることになく、模型の構成部品の組立を容易にするパーツ供給品及び模型を提供することができる。
【発明を実施するための最良の形態】
【００１２】
以下に、必要に応じて添付図面を参照しながら本発明の一実施形態の模型の構成部品を組み立てるパーツ供給品、その製造方法、それを用いる模型、それを用いる構成部品の組立方法について詳細に説明する。
【００１３】
なお、以下の説明では、模型の一例として人形体を、模型の構成部品の一例として手を、パーツ供給品の一例として手の各指のパーツ、手の平のパーツ、手の甲のパーツ、手首のパーツを例にとり説明することにする。
【００１４】
しかしながら、模型の構成部品は手に限ることが無く、例えば、足などでもよい。また模型は人形体に限ることはなく、種々の模型、例えば、自動車、建築物、動物などの模型にも適用することができる。
【００１５】
＜第１の実施形態＞
［パーツ供給品の特徴］
本願発明のパーツ供給品（例：ランナーの接続部に接続された状態の、手の各指のパーツ）は、模型（例：人形体）や模型の構成部品（例：手）として組み立てる楽しみを維持しながら、また一体成形を用いることなく、模型の構成部品としての組立を容易にすることを可能としたものである。
【００１６】
すなわち、本願発明のパーツ供給品は、１つのパーツ（手の平）の複数の接続部に接続して１つの構成部品（手）を組み立てるための複数のパーツ（各指）が、ランナーに取り付けられたパーツ供給品である。そして、複数のパーツ（各指）が１つのパーツ（手の甲）の複数の接続部の間隔と略同じ間隔でランナーに取り付けられていることを特徴とする。
【００１７】
そのため本願発明のパーツ供給品を用いて構成部品を組み立てる場合、複数のパーツ（各指）は、ランナーに取り付けたまま、すなわち、ランナーから切り離すことなく、１つのパーツ（手の平）に接続することができ、接続後に複数のパーツをランナーから取り外すことで構成部品（手）を組み立てることができる。その結果、本願発明のパーツ供給品を用いると、小さな類似した形状の複数のパーツ（各指）から構成部品を組み立てる際に、組立の間違えやパーツの紛失のミスを無くして簡単な組立作業で構成部品を組み立てることができる。そのため、使用者は、模型を組み立てる楽しみを享受することができる。
【００１８】
また、本願発明の構成部品は一体成形を用いて作製していないため、一体成形専用の成形機や金型加工が不要であり製造コストを低く抑えることもできる。
【００１９】
以下、模型の一例として人形体を、模型の構成部品の一例として手を例にとり詳しく説明する。
【００２０】
＜人形体の外観構成：図１＞
図１は、本実施形態のパーツ供給品を用いて組み立てられた構成部品（手）を使用して形成された人形体１の一例を示す外観構成を示す斜視図である。同図において、１０１は頭部、１０２は胸部、１０３は腰部、１０４は上腕部、１０５は下腕部、１０６は大腿部、１０７は脚部、１０８は手である。なお、図９に図１の人形体１の手（パーツ供給品を用いて組み立てられた構成部品）の詳細を示す。
【００２１】
＜パーツ供給品の製造方法＞
以下、本実施形態のパーツ供給品の製造方法、パーツ供給品を用いた構成部品の組立方法について順次説明する。
【００２２】
まず、本実施形態のパーツ供給品の製造方法について説明すると、最初に本実施形態のパーツ供給品を成形することができる金型を設計し加工する。金型の設計では、複数のパーツ（各指）が１つのパーツ（手の平）の複数の接続部の間隔と略同じ間隔でランナーに取り付けらた状態で成形されるように設計する。さらに、手の指のパーツは、ランナーに取り付けられている状態での「各指の並び順と位置と取り付け角度」とが、手の平のパーツの「各指のパーツを接続する接続部の並び順と位置と取り付け角度」に対応して成形されるように設計する。このように設計すると、親指、人差し指、中指、薬指、小指の各指のパーツにおいては、ランナーに取り付けられている状態、すなわち、切り離される前の状態で、各指のパーツに設けられたボール状の接続部と手の平のパーツの接続部の位置関係をそれぞれ略同一にすることができる。すなわち、ランナーから切り離すことなく、ボール状の接続部を手の平のパーツの接続部にはめ込むことが可能となっている。そのため、各指のパーツをランナーに取り付けたまま、各指のパーツのボール状の接続部を手の平パーツの接続部にはめ込んで接続して、各指のパーツを手の平パーツの接続部に固定することができる。次に、この金型を成型機に設置した後、金型を所望の温度に加熱する。次に、粉末成形材料を所望温度と圧力にして流動化し、公知の成形技術を用いて金型内に注入し成形した後、パーツ供給品を金型から取り出す。その結果、本実施形態のパーツ供給品を製造することができる。
【００２３】
ここで、成形材料としては、熱可塑性樹脂、熱硬化性樹脂、ゴム、金属などの各種粉末等を用いることができる。また成形技術としては、例えば、射出成形、押出成形、鋳込み成形などを用いることができる。
【００２４】
＜パーツ供給品：図２＞
次に、上記説明したパーツ供給品の製造方法で成形されたパーツ供給品１０００について説明する。図２は、本実施形態の人形体１で使用する構成部品（左手、右手）の組立に使用するパーツ供給品１０００の一部（左手、右手のパーツ）を示した図である。同図において、１００〜３００は左手を構成する各パーツをランナー（支持部材）１０が支持している部分であり、４００〜６００は右手部を構成する各パーツをランナー１０が支持している部分である。
【００２５】
すなわち、１００は左手の指のパーツをランナー１０で支持した部分、２００は左手の甲と平のパーツをランナー１０で支持した部分、３００は左手の指先のパーツをランナー１０で支持した部分であり、４００は右手の指のパーツをランナー１０で支持した部分、５００は右手の甲と平のパーツをランナー１０で支持した部分、６００は右手の指のパーツをランナー１０で支持した部分である。
【００２６】
＜左手の指：図３＞
次に、上記説明したパーツ供給品１０００に含まれる各パーツについて説明する。なお以下の説明では、左手のパーツである左手の各指のパーツ、左手の平と平のパーツ、左手の指先のパーツについて説明するが、右手のパーツの説明も同様である。
【００２７】
まず図３を用いて左手の指のパーツ１００について説明する。同図において、左手の指のパーツ１００には、親指のパーツ１１０、人差し指の第３関節部のパーツ１２０、中指の第３関節部のパーツ１４０、薬指の第３関節部のパーツ１５０、小指の第３関節部のパーツ１６０が含まれる。なお、中指と薬指と小指の第３関節部のパーツをまとめて三指のパーツ１３０と呼ぶ。三指のパーツ１３０は、接続部１４３と１５３によって中指と薬指と小指の第３関節部のパーツ１４０、１５０、１６０が切り離し可能に接続されて成形されている。中指と薬指と小指の第３関節部を三指として接続して一体化したのは、中指と薬指と小指の第３関節部は形状が類似しており小さいため最初に別々のパーツとして分離してしまうと、使用者が組み立てるとき組立ての間違いやパーツの紛失のミスが生じ得るので、そのような間違いやミスを避けるためである。
【００２８】
次に、親指のパーツ１１０について説明する。親指のパーツ１１０は、手の平のパーツ２７０と回転可能に接続するためのボール状の接続部１１２をもつ。また親指のパーツ１１０は支持部１１３Ａと１１３Ｂによってランナー１０に支持されている。支持部１１３Ａと１１３Ｂは細いため使用者は親指のパーツ１１０を支持部１１３Ａと１１３Ｂでランナー１０から簡単に切り離すことができる。
【００２９】
次に、人差し指のパーツ１２０について説明する。人差し指のパーツ１２０は手の平のパーツ２７０と回転可能に接続するためのボール状の接続部１２２と人差し指の指先のパーツ３２０（図５）と接続するための角状の接続部１２１とを持つ。人差し指のパーツ１２０は支持部１２３Ａと１２３Ｂによってランナー１０に支持されている。支持部１２３Ａと１２３Ｂは細いため使用者は人差し指のパーツ１２０を支持部１２３Ａと１２３Ｂでランナー１０から簡単に切り離すことができる。
【００３０】
次に、三指のパーツ１３０について説明する。三指のパーツ１３０は支持部１３３Ａと３２３Ｂによってランナー１０と接続している。中指のパーツ１４０、薬指のパーツ１５０、小指のパーツ１６０には、それぞれ手の平のパーツ２７０と回転可能に接続するためのボール状の接続部１４２、１５２，１６２と、中指と薬指と小指の指先のパーツ３４０，３５０，３６０（図５）と接続するための角状の接続部１４１，１５１，１６１とを有する。
【００３１】
次に、図３を用いて上記説明した左手の指のパーツ１００の特徴的な配置構成について説明する。図３から明らかなように、左手の指のパーツ１００は、ライナー１０によって囲まれる内部空間内に、左手の５本の指を左手が完成したときに配置される位置にそれぞれ配置している。そして、左手の指のパーツ１００には、左手が完成したときに手の平や手の甲が配置される内部空間の位置にはパーツを配置せず、空間として残しておく。この部分は左手の甲と平のパーツ２００で作製した手の平のパーツ２７０や手の甲のパーツ２８０を切り離して配置するためのものである。左手の指のパーツ１００を用いた本願発明の特徴的な組み立て方法については図６〜図９を用いて後で詳しく説明する。
【００３２】
＜左手の平と甲：図４＞
次に、図４を用いて左手の甲と平のパーツ２００について説明する。同図において、左手の甲と平のパーツ２００には、左手の平のパーツ２７０と左手の甲のパーツ２８０が含まれ、それらはランナー１０によって支持されている。左手の甲のパーツ２８０と左手の平のパーツ２７０は一対をなすものであり、左手の平のパーツ２７０の接続部で左手の５本の指を接続し、その上から左手の甲のパーツ２８０を重ねて左手の５本の指を、左手の平のパーツ２７０と左手の甲のパーツ２８０との間で固定するものである。
【００３３】
次に、左手の平のパーツ２７０について説明する。左手の平のパーツ２７０は、親指のパーツ１１０のボール状の接続部１１２と回転可能に接続するための接続部２１２、人差し指のパーツ１２０のボール状の接続部１２２と接続するための接続部２２２を備えている。また、中指のパーツ１３０のボール状の接続部１４２と回転可能に接続するための接続部２４２、薬指のパーツ１５０のボール状の接続部１５２と回転可能に接続するための接続部２５２、小指のパーツ１６０のボール状の接続部１６２と回転可能に接続するための接続部２６２を備えている。左手の平のパーツ２７０は、支持部２１３Ａ、２１３Ｂ、２１３Ｃによってランナー１０に支持されている。支持部２１３Ａと２１３Ｂ、２１３Ｃは細いため使用者は左手の平のパーツ２７０を支持部２１３Ａ、２１３Ｂ、２１３Ｃでランナー１０から簡単に切り離すことができる。一方、左手の甲のパーツ２８０は左手の平のパーツ２７０との間で各指のパーツの接続部を挟持可能な挟持部（不図示）を有し、左手の平のパーツ２７０に接続した各指のパーツの上から、左手の平のパーツ２７０の接続部に重ねて、各指のパーツを左手の平のパーツ２７０との間で挟むようにして固定する。左手の甲のパーツ２８０は、支持部２９３Ａ、２９３Ｂ、２９３Ｃによってランナー１０と切り離し可能に支持されている。
【００３４】
＜左手の指先：図５＞
次に、図５を用いて左手の指先のパーツ３００について説明する。同図において、左手の指先のパーツ３００は、人差し指の指先のパーツ３２０と三指の指先のパーツ３３０（中指の指先のパーツ３４０と薬指の指先のパーツ３５０と小指の指先のパーツ３６０）の指先（第１および第２関節部を合体したもの）をそれぞれ人差し指先のパーツ３２０、三指の指先のパーツ３３０に分けて成形したものである。
【００３５】
次に、人差し指先のパーツ３２０について説明する。人差し指先のパーツ３２０は人差し指のパーツ１２０の接続部１２１と接続するための接続部３２２を持つ。人差し指先のパーツ３２０は支持部３２３Ａと３２３Ｂによってランナー１０によって支持されている。支持部３２３Ａと３２３Ｂは細いため使用者は人差し指先のパーツ３２０を支持部３２３Ａと３２３Ｂでランナー１０から簡単に切り離すことができる。
【００３６】
次に、三指の指先のパーツ３３０について説明する。三指の指先のパーツ３３０は、中指の指先のパーツ３４０、薬指の指先のパーツ３５０、小指の指先のパーツ３６０を接続および切離部３４３、３５３で接続して一体化したものである。三指の指先のパーツ３３０は支持部３３３Ａ、３３３Ｂ、３３３Ｃでランナー１０に支持されている。中指と薬指と小指の指先（第１および第２関節部を合体したもの）を三指の指先として接続して一体化したのは、中指と薬指と小指の指先は形状が類似しかつ小さいため分離すると使用者が組み立てるときに組立ての間違えや紛失のミスが生じ得るが、そのような間違えやミスを避けるためである。人差し指の指先のパーツ３２０、中指の指先のパーツ３４０、薬指の指先のパーツ３５０、小指の指先のパーツ３６０は、それぞれ人差し指のパーツ１２０、中指のパーツ１４０、薬指のパーツ１５０、小指のパーツ１６０と接続するための接続部３２２，３４２、３５２，３６２を持つ。
【００３７】
＜手の組み立て方法：図６〜図９＞
次に、本実施形態のパーツ供給品の一例である手の組立方法について図６〜図９を用いて説明する。本実施形態の人形体１には付属品として組立説明シートが添付されている。組立説明シートには使用者に本実施形態の構成部品の組立方法が容易に理解できるように、例えば、図６〜図９に示すような説明図と構成部品の組立手順が記載されている。
【００３８】
そのため、使用者は、組立説明シートを参照しながら本実施形態の構成部品、例えば、以下に詳しく説明する左手の組立方法を、上記説明した左手の指のパーツ１００、手の平のパーツ２７０、手の甲のパーツ２８０、人差し指の指先のパーツ３２０、三指の指先のパーツ３３０、手首のパーツ７００を用いて行うことができる。本実施形態の組立方法は、組立の間違えやパーツの紛失を軽減することができるので使用者は組み立てる楽しみを享受しながら構成部品の組み立てを行うことができる。
【００３９】
以下、図６〜図９を参照しながら本実施形態のパーツ供給品１０００を用いた構成部品（左手９００）の組立手順を具体的に説明するが、右手も同様に組み立てることができる。
【００４０】
＜組立手順１：図６＞
まず、組立手順１について説明する。図６は、組立手順１を説明する図である。組立手順１では左手を組み立てるために、まずパーツ供給品１０００から左手の指のパーツ１００を図６に示すような位置に配置する。次に、左手を構成する他のパーツ（人差し指の指先のパーツ３２０、三指の指先のパーツ３３０、左手の甲のパーツ２８０、左手の平のパーツ２７０および左手の手首のパーツ７００）をそれぞれランナー１０から切り離し、図６に示すように左手の指のパーツ１００の周囲に配置する。
【００４１】
＜組立手順２：図６，７＞
次に、組立手順２について説明する。組立手順２では、まず図６のように配置した手の平のパーツ２７０を図の矢印（Ｓ１）に示すように左手の指のパーツ１００の空間部（手の平または手の甲のパーツを配置するために空けてある空の空間）の位置に配置する。次に、手の平のパーツ２７０の接続部に親指のパーツ１１０、人差し指のパーツ１２０、三指のパーツ１３０の各接続部をはめ込んで接続する。この結果、親指のパーツ１１０のボール状の接続部１１２は手の平のパーツ２７０の接続部２１２の位置関係が略同一となるように固定される。同様に、人差し指のパーツ１２０のボール状の接続部１２２は手の平のパーツ２７０の接続部２２２の位置関係が略同一となるように固定される。また、中指のボール状の接続部１４２は手の平のパーツ２７０の接続部２４２の位置関係と略同一となるように固定される。また、薬指のボール状の接続部１５２は手の平のパーツ２７０の接続部２５２の位置関係も略同一となるように固定される。また、小指のボール状の接続部１６２は手の平のパーツ２７０の接続部２６２の位置関係も略同一となるように固定される。このことは、本実施形態のパーツ供給品１０００では、複数のパーツ（指）が１つのパーツ（手の平）の複数の接続部の間隔と略同じ間隔でランナーに取り付けられているために実現される。言い換えれば、本実施形態のパーツ供給品１０００では、複数のパーツ（指）の並び順（親指→人差し指→中指→薬指→小指）と位置と取り付け角度とが、１つのパーツ（手の平）の接続部の並び順（親指→人差し指→中指→薬指→小指）と位置と取り付け角度に対応してランナーに取り付けられているために実現される。すなわち、複数のパーツにおいて、ランナーに取り付けられている状態で、複数のパーツの各接続部間の位置関係が、１つのパーツの接続部にはめ込むことが可能な位置関係となっていることにより実現される。
【００４２】
次に、図７の矢印（Ｓ２）で示すように手の甲のパーツ２８０を手の平のパーツ２７０の上に配置し、不図示の手の甲のパーツ７００の係合部と手の平のパーツ２７０の係合部とを係合することにより指を手の甲のパーツ７００と手の平のパーツ２７０で挟んで固定する。
【００４３】
次に、手の甲のパーツ２８０と手の平のパーツ２７０に固定された親指のパーツ１１０、人差し指のパーツ１２０、三指のパーツ１３０をランナー１０から切り離す。
【００４４】
＜組立手順３：図８、図９＞
次に、組立手順３について説明する。組立手順３では、図７で切り離した５つの指を挟持して固定する手の平のパーツ２７０と手の甲のパーツ２８０（図８の中央参照）に、矢印（Ｓ３）で示すように人差し指の指先のパーツ３２０、三指の指先のパーツ３３０、手首のパーツ７００をはめ込む。すなわち、人差し指のパーツ１２０に人差し指の指先のパーツ３２０を、三指のパーツ１３０に三指の指先のパーツ３３０を、手の平のパーツ２７０と手の甲のパーツ２８０の間に手首のパーツ７００をはめ込んで、図９に示すように左手９００を組み上げる。最後に、左手９００の三指のパーツ１３０および三指の指先のパーツ３３０の接続および切離部から中指および中指の指先のパーツと薬指および薬指の指先のパーツと小指および小指の指先のパーツを切り離すことにより左手９００（構成部品）が完成する。
【図面の簡単な説明】
【００４５】
【図１】本発明のパーツ供給品を用いて組み立てられた構成部品を使用して形成されている人形体を示す外観構成を示す斜視図である。
【図２】本発明のパーツ供給品を示す正面図である。
【図３】左手の指のパーツを支持したライナーを示す図である。
【図４】左手の平と甲のパーツを支持したライナーを示す図である。
【図５】左手の指先のパーツを支持したライナーを示す図である。
【図６】本発明の構成部品（手）の組立手順１を説明する図である。
【図７】本発明の構成部品（手）の組立手順２を説明する図である。
【図８】本発明の構成部品（手）の組立手順３を説明する図である。
【図９】本発明の構成部品（手）を説明する図である。
【符号の説明】
【００４６】
１  人形体
１００  左手の各指のパーツ
１１０  親指パーツ
１２０  人差し指パーツ
１３０  三指パーツ
１４０  中指パーツ
１５０  薬指パーツ
１６０  小指パーツ
２００  左手の甲と平のパーツ
２７０  左手の平のパーツ
２８０  左手の甲のパーツ
３００  左手の指先のパーツ
３２０  人差し指の指先のパーツ
３３０  三指の指先のパーツ
３４０  中指の指先のパーツ
３５０  薬指の指先のパーツ
３６０  小指の指先のパーツ
４００  右手の各指のパーツ
５００  右手の甲と平のパーツ
６００  右手の指先のパーツ
７００  手首
９００  左手
１０００  パーツ供給品
【図１】
2009107275.tif 000003
【図２】
2009107275.tif 000004
【図３】
2009107275.tif 000005
【図４】
2009107275.tif 000006
【図５】
2009107275.tif 000007
【図６】
2009107275.tif 000008
【図７】
2009107275.tif 000009
【図８】
2009107275.tif 000010
【図９】
2009107275.tif 000011